(57)【要約】      （修正有）【課題】可動カバーを直動させるためのモータの振動に起因する振動音が大きくなることを防止或いは抑制できるダンパ装置を提供する。【解決手段】ダンパ装置１は、開口部を通過する気体の流量を調整するための可動カバーと、可動カバーを、流量が第１流量となる第１位置２Ａと、第１位置２Ａよりも開口部に接近して流量が第１流量よりも少ない第２流量となる第２位置との間で直動させる駆動ユニット３と、駆動ユニット３を支持する支持部１３を備える支持体４とを有する。駆動ユニット３はモータ本体６７（モータ）を備える。支持体４は、支持部１３の外周側にＸ１方向に突出して先端部分に遠心ファンが固定されるファン支持用軸３１〜３３を備える。支持体４の端板部１１における支持部１３の外周側であってファン支持用軸３１〜３３よりも支持部１３に近い領域には、貫通穴４０〜４２が設けられている。【選択図】図１
2019082284.tif 000002
【特許請求の範囲】
【請求項１】
開口部を通過する気体の流量を調整するための可動カバーと、
前記可動カバーを、前記流量が第１流量となる第１位置と、前記第１位置よりも前記開口部に接近して前記流量が前記第１流量よりも少ない第２流量となる第２位置と、の間で直動させる駆動ユニットと、
前記駆動ユニットを支持する支持部を備える支持体と、を有し、
前記駆動ユニットは、駆動源としてモータを備え、
前記支持体は、前記支持部の外周側に、前記可動カバーの直動方向を前記第１位置から前記第２位置に向かう閉方向に突出して先端部分にファンが固定されるファン支持用軸を備え、
前記支持体における前記支持部の外周側であって前記ファン支持用軸よりも前記支持部に近い領域には、貫通穴が設けられていることを特徴とするダンパ装置。
【請求項２】
前記貫通穴は、前記ファン支持用軸よりも前記支持部に近い位置に設けられていることを特徴とする請求項１に記載のダンパ装置。
【請求項３】
前記貫通穴は、前記支持部の外周に沿って周方向に延びる円弧形状であることを特徴とする請求項１または２に記載のダンパ装置。
【請求項４】
前記貫通穴として、前記支持部を囲んで設けられた複数の前記貫通穴を備えることを特徴とする請求項１から３のうちのいずれか一項に記載のダンパ装置。
【請求項５】
前記ファン支持用軸として、前記支持部を囲んで設けられた複数の前記ファン支持用軸を備えることを特徴とする請求項１から４のうちのいずれか一項に記載のダンパ装置。
【請求項６】
前記支持体は、当該支持体を外部の機器に固定するための取付部を備え、
前記取付部は、前記支持部を囲む複数の前記ファン支持用軸の外周側に設けられていることを特徴とする請求項５に記載のダンパ装置。
【請求項７】
前記駆動ユニットは、前記モータにより駆動されて前記直動方向に延在する軸線回りに回転する回転体を備え、
前記回転体は、外周面に螺旋状の凸部または凹部からなる係合部を備え、
前記可動カバーは、前記回転体の前記係合部が形成されている部分が内側に配置された回転体配置穴と、前記回転体配置穴の内周面で前記係合部と係合して当該係合部と送りねじ機構を構成する被係合部と、を備えることを特徴とする請求項１から６のうちのいずれか一項に記載のダンパ装置。
【請求項８】
前記駆動ユニットは、前記モータの回転を前記回転体に伝達するギア輪列を備えることを特徴とする請求項７に記載のダンパ装置。
【請求項９】
前記可動カバーは、前記直動方向で支持体と対向する対向部と、前記対向部の外周縁から前記閉方向に突出し、前記第２位置において前記ファン支持用軸に固定されたファンの外周側に位置する側板部と、を備え、
前記ファン支持用軸は、前記対向部を貫通していることを特徴とする請求項１から８のうちのいずれか一項に記載のダンパ装置。
【請求項１０】
前記モータは、ステッピングモータであることを特徴とする請求項１から９のうちのいずれか一項に記載のダンパ装置。
【発明の詳細な説明】
【技術分野】
【０００１】
本発明は、開口部を通過する流体の流量を調節するダンパ装置に関する。
【背景技術】
【０００２】
冷蔵庫内で冷気などの流体が流通する流体通路の開口部に配置して、開口部を通過する流体の流量を調節するダンパ装置は特許文献１に記載されている。特許文献１のダンパ装置は、流体の流量を調節するための可動カバーと、可動カバーを駆動する駆動ユニットと、駆動ユニットを支持する支持体と、を備える。支持体は、流体通路の開口部に連通する支持体側開口部を備える。駆動ユニットは、駆動源としてのモータと、モータの駆動により回転する回転体と、を備える。可動カバーは、回転体の回転が送りねじ機構を介して伝達されることにより、支持体に当接する当接位置と、支持体から離間する離間位置との間を直動する。可動カバーが当接位置に配置されると、可動カバーによって支持体側開口部が被われるので、開口部を介した流体の流れは遮断される。可動カバーが離間位置に配置されると、流体は、開口部、支持体側開口部および、支持体と可動カバーを介して、流通する。
【先行技術文献】
【特許文献】
【０００３】
【特許文献１】特開２０１６−１６１２３２号公報
【発明の概要】
【発明が解決しようとする課題】
【０００４】
駆動ユニットの駆動源であるモータの振動が支持体に伝わると、その振動が支持体で増幅されてしまい、振動音が大きくなる場合がある。
【０００５】
かかる問題に鑑みて、本発明の課題は、可動カバーを直動させるためのモータの振動に起因する振動音が大きくなることを防止或いは抑制できるダンパ装置を提供することにある。
【課題を解決するための手段】
【０００６】
上記課題を解決するために、本発明のダンパ装置は、開口部を通過する気体の流量を調整するための可動カバーと、前記可動カバーを、前記流量が第１流量となる第１位置と、前記第１位置よりも前記開口部に接近して前記流量が前記第１流量よりも少ない第２流量となる第２位置と、の間で直動させる駆動ユニットと、前記駆動ユニットを支持する支持部を備える支持体と、を有し、前記駆動ユニットは、駆動源としてモータを備え、前記支持体は、前記支持部の外周側に、前記可動カバーの直動方向を前記第１位置から前記第２位置に向かう閉方向に突出して先端部分にファンが固定されるファン支持用軸を備え、前記支持体における前記支持部の外周側であって前記ファン支持用軸よりも前記支持部に近い領域には、貫通穴が設けられていることを特徴とする。
【０００７】
本発明では、支持体において駆動ユニットを支持する支持部の外周側には、貫通穴が設けられている。従って、駆動ユニットの駆動源であるモータの振動が支持部を介して支持体に伝わった場合でも、その振動の伝搬を、貫通穴によって遮断、或いは、抑制できる。よって、モータの振動が支持体で増幅されてしまい、振動音が大きくなることを防止或いは抑制できる。
【０００８】
本発明において、前記貫通穴は、前記ファン支持用軸よりも前記支持部に近い位置に設
けられていることが望ましい。このようにすれば、支持部に近い位置でモータの振動の伝搬を遮断あるいは抑制できる。
【０００９】
本発明において、前記貫通穴は、前記支持部の外周に沿って周方向に延びる円弧形状であるものとすることができる。このようにすれば、貫通穴の開口面積が小さい場合でも、効率良く振動の伝搬を抑制することが出来る。すなわち、貫通穴を周方向に延びる円弧形状とすれば、支持部と、支持体において貫通穴よりも外周側に位置する部分とを接続する接続部分を小さくすることが容易となる。ここで、接続部分が小さければ、支持部から伝搬する振動を接続部分により減衰させやすい。
【００１０】
本発明において、前記貫通穴として、前記支持部を囲んで設けられた複数の前記貫通穴を備えることが望ましい。このようにすれば、各貫通穴の開口面積を合計した開口面積を大きくすることが容易である。これにより、支持体において支持部からの振動を伝搬する部分の面積を小さくすることができるので、モータの振動の伝搬を抑制しやすい。
【００１１】
本発明において、前記ファン支持用軸として、前記支持部を囲んで設けられた複数の前記ファン支持用軸を備えるものとすることができる。複数のファン支持用軸によってファンを支持すれば、支持体によってファンを確実に支持できる。
【００１２】
本発明において、前記支持体は、当該支持体を外部の機器に固定するための取付部を備え、前記取付部は、前記支持部を囲む複数の前記ファン支持用軸の外周側に設けられているものとすることができる。このようにすれば、駆動ユニットの駆動源であるモータの振動が支持部を介して支持体に伝わった場合でも、その振動が、複数のファン支持用軸よりも外周側に位置する取付部まで伝搬することを抑制しやすい。
【００１３】
本発明において、可動カバーを第１位置と第２位置との間で直動させるためには、前記駆動ユニットは、前記モータにより駆動されて前記可動カバーの直動方向に延在する軸線回りに回転する回転体を備え、前記回転体は、外周面に螺旋状の凸部または凹部からなる係合部を備え、前記可動カバーは、前記回転体の前記係合部が形成されている部分が内側に配置された回転体配置穴と、前記回転体配置穴の内周面で前記係合部と係合して当該係合部と送りねじ機構を構成する被係合部と、を備えるものとすることができる。
【００１４】
本発明において、前記駆動ユニットは、前記モータの回転を前記回転体に伝達するギア輪列を備えるものとすることができる。駆動ユニットにギア輪列を備える場合には、ギア輪列が駆動される際に振動が発生して支持体の側に伝わることがあるが、支持体に設けられた貫通穴によって、振動の伝搬を遮断あるいは抑制できる。
【００１５】
本発明において、前記可動カバーは、前記直動方向で支持体と対向する対向部と、前記対向部の外周縁から前記閉方向に突出し、前記第２位置において前記ファン支持用軸に固定されたファンの外周側に位置する側板部と、を備え、前記ファン支持用軸は、前記対向部を貫通しているものとすることができる。このようにすれば、第２位置に可動カバーを配置したときに、ファン支持用軸の先端部分に固定されたファンを、可動カバーによって外周側から被うことが容易となる。
【００１６】
本発明において、前記モータは、ステッピングモータとすることができる。ステッピングモータでは駆動時に周期的な振動が発生するので、この振動が支持体の側に伝わることがある。しかし、支持体に設けられた貫通穴によって当該振動の伝搬を遮断あるいは抑制できる。
【発明の効果】
【００１７】
本発明のダンパ装置では、支持体における駆動ユニットの支持部の外周側には、貫通穴が設けられている。従って、駆動ユニットの駆動源であるモータの振動が支持部を介して支持体に伝わった場合でも、その振動の伝搬を、貫通穴によって遮断、或いは、抑制できる。従って、モータの振動が支持体で増幅されてしまい、振動音が大きくなることを防止或いは抑制できる。
【図面の簡単な説明】
【００１８】
【図１】本発明を適用したダンパ装置を支持体の側から見た場合の平面図である。
【図２】本発明を適用したダンパ装置を支持体の側から見た場合の斜視図である。
【図３】可動カバーが第１位置にある状態のダンパ装置の斜視図である。
【図４】可動カバーが第２位置にある状態のダンパ装置の斜視図である。
【図５】ダンパ装置の動作の説明図である。
【図６】ダンパ装置を支持体の側から見た場合の分解斜視図である。
【図７】ダンパ装置を可動カバーの側から見た場合の分解斜視図である。
【図８】支持体および駆動ユニットの分解斜視図である。
【図９】駆動ユニットの分解斜視図である。
【図１０】変形例のダンパ装置を支持体の側から見た場合の平面図である。
【発明を実施するための形態】
【００１９】
以下に、図面を参照して、本発明を適用したダンパ装置の実施の形態を説明する。
【００２０】
（全体構成）
図１は本発明を適用したダンパ装置を支持体の側から見た場合の平面図である。図２は本発明を適用したダンパ装置を支持体の側から見た場合の斜視図である。図３は可動カバーが第１位置にある状態を可動カバーの側から見た場合のダンパ装置の斜視図である。図４は可動カバーが第２位置にある状態を可動カバーの側から見た場合のダンパ装置の斜視図である。図５（ａ）は可動カバーが第１位置にある状態のダンパ装置の側面図であり、図５（ｂ）は可動カバーが第２位置にある状態のダンパ装置の側面図である。図６はダンパ装置を支持体の側から見た場合の分解斜視図である。図７はダンパ装置を可動カバーの側から見た場合の分解斜視図である。図８は支持体および駆動ユニットの分解斜視図である。ダンパ装置１は、流体が流れるダクトなどの流体通路の開口部Ｏを流通する流体の流量を制御する。本例では、ダンパ装置１は冷蔵庫内の冷気通路に設けられた開口部Ｏを流通する冷気の流量を調節する。ダンパ装置１は冷気流路の外側で開口部Ｏに対向する位置に配置される。
【００２１】
ダンパ装置１は、図３、図４に示すように、開口部Ｏを流通する冷気の流量を調整するための可動カバー２と、可動カバー２を開口部Ｏに接近する方向および離間する方向に直動駆動する駆動ユニット３と、駆動ユニット３を支持する支持体４と、を有する。また、ダンパ装置１は、駆動ユニット３に電力を供給するための配線５を有する。図３、図４において、冷気流路は開口部Ｏを挟んでダンパ装置１とは反対側にある。
【００２２】
支持体４は、図１、図２に示すように、可動カバー２の一方側に位置する正方形形状の端板部１１と、端板部１１の外周縁を規定する４辺のうちの１辺から可動カバー２の側に延びる側板部１２と、を備える。端板部１１は可動カバー２が直動する直動方向と垂直に延びる。端板部１１の中心部分には駆動ユニット３を支持する支持部１３が設けられている。図３に示すように、駆動ユニット３は、支持部１３に取り付けられて、可動カバー２の側に突出する。端板部１１の外周縁部分には、ダンパ装置１（支持体４）を冷蔵庫などの外部の機器に固定するための取付部１４が設けられている。本例では、取付部１４は端板部１１の四隅にそれぞれ設けられた取付穴である。支持体４は取付穴を貫通するネジにより冷蔵庫などに固定される。
【００２３】
可動カバー２は、駆動ユニット３の駆動により、開口部Ｏを流通する冷気の流量が第１流量となる第１位置２Ａと、流量が第１流量よりも少ない第２流量となる第２位置２Ｂとの間で直動する。図３および図５（ａ）に示すように、第１位置２Ａでは、可動カバー２は、開口部Ｏから離間して、端板部１１に近い位置に配置されている。図４および図５（ｂ）に示すように、第２位置２Ｂでは、可動カバー２は第１位置２Ａよりも端板部１１から離間する位置に配置され、第１位置２Ａよりも開口部Ｏに接近している。
【００２４】
以下の説明では、図１から図４に示すダンパ装置１の姿勢を、ダンパ装置１の設置姿勢１Ａとする。設置姿勢１Ａでは、可動カバー２の直動方向が水平方向となる。また、設置姿勢１Ａにおいて、互いに直交する３方向をＸ方向、Ｙ方向、Ｚ方向とする。Ｘ方向は可動カバー２の直動方向であり、ダンパ装置１が設置姿勢１Ａのときに水平方向である。Ｙ方向はダンパ装置１の幅方向であり、Ｚ方向は上下方向である。また、Ｘ方向（直動方向）において、端板部１１が位置する側をＸ１方向、可動カバー２が位置する側をＸ２方向とする。Ｘ１方向は、開口部Ｏを解放する開方向であり、Ｘ２方向は、開口部Ｏを絞る閉方向である。Ｙ方向において側板部１２が位置する側をＹ１方向、その反対側をＹ２方向とする。さらに、Ｚ方向の下方をＺ１方向、Ｚ方向の上方をＺ２方向とする。設置姿勢１Ａでは、端板部１１の端面１１ａはＸ１方向を向く。また、設置姿勢１Ａでは、側板部１２は、Ｙ１方向を向いて上下方向に延びる側面１２ａを備える。端板部１１の端面１１ａと側板部１２の側面１２ａとは直交する。以下では、ダンパ装置１を設置姿勢１Ａで説明する。
【００２５】
（支持体）
支持体４は樹脂製である。図１、図２に示すように、駆動ユニット３を支持する支持部１３は端板部１１の中央部分に設けられている。支持部１３をＸ方向から見た場合の輪郭形状は、略円形である。図２に示すように、支持部１３は、端板部１１からＸ１方向に突出する第１筒部１５と、図８に示すように、第１筒部１５と同軸で、端板部１１からＸ２方向の突出する第２筒部１６と、を備える。第１筒部１５の中心穴１５ａと第２筒部１６の中心穴１６ａとは端板部１１に設けられた貫通穴１１ｂを介して連通する。第１筒部１５の中心穴１５ａは第２筒部１６の中心穴１６ａよりも小径である。図２に示すように、第１筒部１５において、Ｙ１方向（側板部１２が位置する側）の周方向の一部分には切欠き１７が設けられている。
【００２６】
端板部１１においてＸ１方向を向く端面１１ａには、第１筒部１５の切欠き１７から側板部１２の側面１２ａに至る配線配置溝１８が設けられている。配線配置溝１８は、切欠き１７（支持部１３）から水平方向に延びる内周側溝部分１９と、内周側溝部分１９の外周側の端から側板部１２の側に向かってＺ１方向に傾斜する傾斜溝部分２０と、傾斜溝部分２０の外周側の端から水平方向に延びて側板部１２の側面１２ａに達する外周側溝部分２１とを備える。外周側溝部分２１の側板部１２の側の端は側面１２ａに開口している。
【００２７】
傾斜溝部分２０の底部１８ａには、開口部２２が設けられている。端板部１１において可動カバー２の側を向く対向面１１ｃには、図７、図８に示すように、開口部２２の開口縁と重なる部分からＸ２方向に突出する筒部２３が設けられている。
【００２８】
また、端板部１１は、図２、図６に示すように、内周側溝部分１９の内側に突出する第１爪部２５と、外周側溝部分２１の内側に突出する第２爪部２６と、を備える。第１爪部２５はＺ２方向に突出しており、第２爪部２６はＺ１方向に突出している。第１爪部２５および第２爪部２６は、それぞれ配線配置溝１８の底部１８ａからＸ１方向に離間している。
【００２９】
さらに、端板部１１は、図３、図８に示すように、Ｘ２方向に突出する３本のファン支持用軸３１〜３３と、２本のガイド軸３４、３５と、を備える。３本のファン支持用軸３１〜３３と２本のガイド軸３４、３５は、いずれも支持部１３の外周側に位置する。従って、３本のファン支持用軸３１〜３３と２本のガイド軸３４、３５は、いずれも支持部１３に取り付けられた駆動ユニット３の外周側に位置する。また、３本のファン支持用軸３１〜３３と２本のガイド軸３４、３５は、いずれも取付部１４よりも支持部１３に近い位置に設けられている。
【００３０】
３本のファン支持用軸３１〜３３は、支持部１３を等角度間隔で囲む位置に設けられている。ファン支持用軸３１〜３３の先端部分には、図５（ａ）に点線で示すように、遠心ファンＦが取り付けられる場合がある。すなわち、冷蔵庫内に冷気を送風する際には、冷気流路の外側で開口部Ｏに対向する位置に遠心ファンＦを配置することがある。この場合には、ファン支持用軸３１〜３３の先端部分に遠心ファンＦを連結して、開口部Ｏからダンパ装置１の側に冷気を送風する。遠心ファンＦは支持体４に支持された状態で、開口部Ｏと対向する位置に配置される。なお、支持部１３を囲んで設けられた複数本のファン支持用軸３１〜３３によって遠心ファンＦを支持すれば、支持体４によって遠心ファンＦを確実に支持できる。
【００３１】
２本のガイド軸３４、３５は、３本のファン支持用軸３１〜３３よりも外周側に設けられている。２本のガイド軸３４、３５は、可動カバー２をＸ方向に案内するガイド機構３０の構成の一部分である。２本のガイド軸３４、３５のうちの一方のガイド軸３４は端板部１１におけるＹ１方向のＺ１方向の側の部分からＸ２方向に突出する。他方のガイド軸３５は、端板部１１におけるＹ２方向のＺ２方向の側の部分からＸ２方向に突出する。
【００３２】
また、端板部１１は、図７、図８に示すように、対向面１１ｃに３つの緩衝部材３７〜３９を備える。３つの緩衝部材３７〜３９は、ガイド軸３４、３５よりも内周側に配置されている。また、３つの緩衝部材３７〜３９は、３つのファン支持用軸３１〜３３と、支持部１３との間に配置されている。緩衝部材３７〜３９は、支持部１３を等角度間隔で囲む位置に配置されている。また、緩衝部材３７〜３９は、直方体形状であり、その長手方向を支持部１３の周方向に向けている。緩衝部材３７〜３９は、弾性部材であり、多孔質部材である。緩衝部材３７〜３９としては、発泡ポリウレタン、ゴム、スポンジなどを用いることができる。緩衝部材３７〜３９の材質は、使用環境に合わせて選択される。
【００３３】
さらに、端板部１１は、支持部１３の外周側であってファン支持用軸３１〜３３よりも支持部１３に近い領域（支持部１３と３本のファン支持用軸３１〜３３の間の領域）に、３つの貫通穴４０〜４２を備える。図１、図２に示すように、各貫通穴４０〜４２は、ファン支持用軸３１〜３３よりも支持部１３に近い位置に設けられている。本例では、各貫通穴４０〜４２は、緩衝部材３７〜３９と支持部１３との間に設けられている。各貫通穴４０〜４２は端板部１１をＸ方向に貫通する。
【００３４】
３つの貫通穴４０〜４２は、支持部１３の外周側において、周方向で配線配置溝１８を避けた位置に設けられている。３つの貫通穴４０〜４２は、配線配置溝１８とともに、支持部１３を外周側から囲んでいる。図２に示すように、各貫通穴４０〜４２は、支持部１３（第１筒部１５）の外周縁に沿って周方向に延びる円弧形状である。各貫通穴４０〜４２の形状は支持部１３の中心に規定される円弧であり、３つの貫通穴４０〜４２の径方向の幅寸法は互いに等しい。端板部１１において、支持部１３の周方向で第１貫通穴４０と配線配置溝１８との間に位置する板部分、第１貫通穴４０と第２貫通穴４１の間に位置する板部分、第２貫通穴４１と第３貫通穴４２の間に位置する板部分、および、第３貫通穴４２と配線配置溝１８との間に位置する板部分は、それぞれ、支持部１３と、各貫通穴４０〜４２よりも外周側に位置する端板部１１の板部分とを接続する接続リブ１１ｅ〜１１
ｈとなっている。
【００３５】
ここで、配線配置溝１８と、Ｘ１方向の側から見た場合にＣＷ方向で配線配置溝１８の隣に位置する第１貫通穴４０との間の第１接続リブ１１ｅの周方向の長さ寸法は、第１貫通穴４０の周方向の長さ寸法よりも短い。第１貫通穴４０と、ＣＷ方向で第１貫通穴４０の隣に位置する第２貫通穴４１との間に位置する第２接続リブ１１ｆの周方向の長さ寸法は、第１貫通穴４０および第２貫通穴４１の周方向の長さ寸法よりも短い。第２貫通穴４１と、ＣＷ方向で第２貫通穴４１の隣に位置する第３貫通穴４２との間に位置する第３接続リブ１１ｇの周方向の長さ寸法は、第２貫通穴４１および第３貫通穴４２の周方向の長さ寸法よりも短い。また、第３貫通穴４２と配線配置溝１８との間に位置する第４接続リブ１１ｈの周方向の長さ寸法は、第３貫通穴４２の周方向の長さ寸法よりも短い。
【００３６】
次に、側板部１２は、図２に示すように、配線係止部４５と、第１結束部４６と、第２結束部４７と、を備える。配線係止部４５は、側板部１２の側面１２ａからＹ１方向に突出する突出部分５１と、突出部分５１の先端部分から側面１２ａに沿ってＺ１方向に延びる第１係止部分５２と、突出部分５１の先端部分から側面１２ａに沿ってＺ２方向に延びる第２係止部分５３と、を備える。配線係止部４５の突出部分５１は、側板部１２の側面１２ａに露出する配線配置溝１８の端部開口１８ｂとＺ方向で重なる高さ位置に設けられている。配線係止部４５の突出部分５１は、Ｚ方向において、配線配置溝１８の外周側溝部分２１のＺ方向の中央部分と同様の高さ位置にある。
【００３７】
また、配線係止部４５は、第１係止部分５２の下端部分から側板部１２（側面１２ａ）に向かって延びる第１抜け止め部分５４と、第１抜け止め部分５４の側板部１２の側の端からＺ１方向に向かって側板部１２から離間する方向に延びる第１傾斜部５５と、を備える。さらに、配線係止部４５は、第２係止部分５３の上端部分から側板部１２（側面１２ａ）に向かって延びる第２抜け止め部分５６と、第２抜け止め部分５６の側板部１２の側の端からＺ２方向に向かって側板部１２から離間する方向に延びる第２傾斜部５７と、を備える。
【００３８】
第１結束部４６は配線係止部４５のＺ１方向に設けられている。第２結束部４７は配線係止部４５のＺ２方向に設けられている。第１結束部４６および第２結束部４７は、結束バンド５９を結束可能な部位である。第１結束部４６と第２結束部４７とは同一の形状を備える。Ｚ方向から見た場合に、第１結束部４６および第２結束部４７は、配線係止部４５と重なる位置に設けられている。第１結束部４６および第２結束部４７のそれぞれは、側板部１２の側面１２ａをＸ方向に直線状に延びる溝６０と、側板部１２の側面１２ａにおいて、溝６０の下側からＹ１方向に突出する下側突部６１と、溝６０の上側からＹ１方向に突出する上側突部６２と、側面１２ａに沿ってＺ方向に延びて下側突部６１の側面１２ａの側の端部分と上側突部６２の側面１２ａの側の端部分とを連結する連結部分６３と、を備える。
【００３９】
（駆動ユニット）
図９は駆動ユニット３の分解斜視図である。図８に示すように、駆動ユニット３は、ギアードモータ６５と、ギアードモータ６５の駆動によって回転する回転体６６と、を有する。図９に示すように、ギアードモータ６５は、モータ本体６７（モータ）と、出力歯車６８と、モータ本体６７の出力軸（不図示）の回転（モータ本体６７の回転）を出力歯車６８に伝達するギア輪列６９と、を備える。モータ本体６７は、ステッピングモータである。モータ本体６７は出力軸をＸ２方向に突出させた姿勢で配置されている。図８に示すように、モータ本体６７は、Ｘ１方向（反出力側）の端部分に配線５が接続される給電部７０を備える。ギア輪列６９は、減速輪列である。
【００４０】
また、ギアードモータ６５は、図９に示すように、モータ本体６７の出力側の端面１１ａに固定された端板部材７１と、Ｘ２方向から端板部材７１に被せられたケース７２とを備える。ギア輪列６９は端板部材７１とケース７２との間に収容されている。ギア輪列６９はモータ本体６７の出力軸の回転を出力歯車６８に伝達する。出力歯車６８は、ケース７２のＸ２方向の端面に設けられた開口部７２ａからＸ２方向に突出している。
【００４１】
ここで、ギアードモータ６５は、支持体４の支持部１３の中心穴（第１筒部１５の中心穴１５ａ、第２筒部１６の中心穴１６ａおよび端板部１１の貫通穴１１ｂ）にＸ２方向の側から嵌め込まれる。ギアードモータ６５が支持部１３に嵌め込まれると、図１、図２に示すように、モータ本体６７のＸ１方向の端部分が第１筒部１５の中心穴１５ａにＸ２方向の側から挿入される。これにより、モータ本体６７のＸ１方向の端部分は第１筒部１５に嵌合した状態となる。また、モータ本体６７の給電部７０は、図２に示すように、第１筒部１５の切欠き１７と対応する角度位置に配置される。従って、給電部７０に接続された配線５を配線配置溝１８に引き出すことが容易である。また、ギアードモータ６５は、図８に示すように、ケース７２をＸ２方向の側から貫通する２本のネジ７４によって支持部１３に固定される。ギアードモータ６５が支持部１３に固定された状態では、出力歯車６８の回転中心軸線はＸ方向（直動方向）に延びる。
【００４２】
図８、図９に示すように、回転体６６は、円形の底板部７５と、底板部７５の外周縁からＸ１方向に延びる円筒部７６とを有する。底板部７５の中央には、ギアードモータ６５の出力歯車６８が噛合する噛合部７７が設けられている。噛合部７７は底板部７５をＸ方向に貫通する貫通穴７７ａと、貫通穴７７ａの内周面に形成されたスプライン７７ｂと、を備える。回転体６６は、ギアードモータ６５にＸ２方向から被せられる。これにより、ギアードモータ６５の出力歯車６８が噛合部７７に噛合した状態とされる。従って、モータ本体６７に給電してギアードモータ６５を駆動すると、出力歯車６８が回転した際に、回転体６６が軸線Ｌ回りに回転する。
【００４３】
ここで、回転体６６の軸線Ｌは出力歯車６８の回転中心軸線と一致する。また、回転体６６の軸線Ｌは、支持体４の支持部１３の中心と一致する。よって、支持体４に設けられたファン支持用軸３１〜３３、支持体４の端板部１１に固定された各緩衝部材３７〜３９は、軸線Ｌ回りの等角度間隔に位置する。
【００４４】
回転体６６のＸ２方向の端部には、円筒部７６のＸ２方向の端から径方向を外側に突出する円環状のフランジ部７８が設けられている。図４に示すように、フランジ部７８は、可動カバー２が第２位置２Ｂに配置されたときに、可動カバー２と当接して、駆動ユニット３と可動カバー２との間から冷気が漏れることを抑制する。なお、図９に示すように、フランジ部７８の内周縁には、水抜き用の穴７８ａが周方向の２個所に形成されている。穴７８ａは、結露などによって円筒部７６に付着した水や、円筒部７６から削り落とされた氷片を排出してフランジ部７８と可動カバー２との間に氷片が挟まることを防止する。
【００４５】
回転体６６の円筒部７６の外周面には、螺旋状の凸部または凹部からなる係合部８０が形成されている。本例では、係合部８０は、螺旋状に延在する２つの凸部からなる。係合部８０は、円筒部７６の外周面を、Ｘ１方向の端からフランジ部７８まで延在する。各係合部８０のフランジ部７８の側の端部８０ａは、フランジ部７８の穴７８ａに対してＸ１方向で隣り合う位置にある。かかる端部８０ａは、回転体６６が反時計ＣＣＷに回転して可動カバー２が第２位置２Ｂに配置されたときに、可動カバー２が当接する度当たり部分になっている。
【００４６】
（可動カバー）
可動カバー２は樹脂製である。図６に示すように、可動カバー２は、支持体４の端板部
１１と平行に延びるカバー端板部８３（対向部）を備える。カバー端板部８３は、Ｘ方向から見た場合に、全体として円形の円形端板部分８４と、円形端板部分８４の外周縁の周方向の一部分からＺ１方向に突出する突出端板部分８５と、を備える。突出端板部分８５は円形端板部分８４の中心からＹ２方向に偏った位置からＺ１方向に突出する。
【００４７】
また、可動カバー２は、カバー端板部８３の外周縁において突出端板部分８５の下端縁８５ａを除く外周縁部分からＸ２方向に延びるカバー側板部８６（側板部）を備える。可動カバー２において、カバー側板部８６が設けられていない部分は、Ｚ１方向に開口する矩形の切欠き開口８７となっている。すなわち、可動カバー２は、Ｚ１方向に開口する矩形の切欠き開口８７を備える。
【００４８】
なお、可動カバー２は、冷気流路の外側で開口部Ｏに対向する位置に遠心ファンＦが配置される場合、すなわち、支持体４の３本のファン支持用軸３１〜３３の先端部分に遠心ファンＦに連結される場合には、第２位置２Ｂにおいて、カバー側板部８６が遠心ファンＦの外周側に位置する。これにより、図５（ｂ）に示すように、カバー端板部８３およびカバー側板部８６により区画される空間内に遠心ファンＦが収容可能となっている。
【００４９】
カバー側板部８６には、外周側に突出する第１突出部８８および第２突出部８９が設けられている。第１突出部８８は、円形端板部分８４のＹ１方向のＺ１方向の側に設けられている。第２突出部８９は、円形端板部分８４のＹ２方向のＺ２方向の側の部分に設けられている。第１突出部８８および第２突出部８９は、カバー側板部８６に沿ってＸ方向に延びる円柱形状である。第１突出部８８および第２突出部８９には、それぞれＸ方向に貫通する貫通穴８８ａ、８９ａが形成されている。
【００５０】
円形端板部分８４の中心には、駆動ユニット３の回転体６６の係合部８０が形成されている部分（円筒部７６）を配置する回転体配置部９１が設けられている。図６に示すように、回転体配置部９１は、カバー端板部８３において支持体４と対向する対向面８３ａから支持体４の側に突出する円盤部９２と、円盤部９２および円形端板部分８４を貫通する回転体配置穴９３と、を備える。回転体配置穴９３の内周面には、係合部８０と係合して当該係合部８０と送りネジ機構９４を構成する被係合部９５が形成されている。被係合部９５は、螺旋状に延在する溝である。係合部８０は被係合部９５の内側に嵌った状態とされる。本例では、溝（被係合部９５）を構成するにあたって、回転体配置穴９３の内周面の周方向の一部を径方向内側に張り出した張出部９６とし、かかる張出部９６に溝（被係合部９５）を設けた構造になっている。ここで、被係合部９５は、周方向の２個所に形成されている。また、カバー端板部８３は、回転体配置部９１のＹ１方向の側に開口部９７を備える。開口部９７には支持体４の筒部２３が挿入される。
【００５１】
さらに、カバー端板部８３は、Ｘ方向に貫通する３つの貫通穴１０１〜１０３と、２つのガイド穴１０４、１０５とを備える。３つの貫通穴１０１〜１０３はカバー側板部８６の内側に形成されている。これら貫通穴１０１〜１０３は、回転体配置穴９３を等角度間隔で囲む位置に設けられている。換言すれば、これら貫通穴１０１〜１０３は、軸線Ｌ回りを等角度間隔に設けられている。３つの貫通穴１０１〜１０３には、支持体４において支持部１３を等角度間隔で囲む位置に設けられた３本のファン支持用軸３１〜３３がＸ１方向の側から挿入される。
【００５２】
図３に示すように、２つのガイド穴１０４、１０５は、支持体４に設けられた２つのガイド軸３４、３５とともに可動カバー２をＸ方向に案内するガイド機構３０を構成する。２つのガイド穴１０４、１０５は、カバー側板部８６の外周側に形成された第１突出部８８および第２突出部８９の貫通穴８９ａ、８９ａである。第１突出部８８の貫通穴８８ａには、支持体４の端板部１１におけるカバー側板部８６の側のＺ１方向の側の部分に設け
られたガイド軸３４がＸ１方向の側から挿入される。第２突出部８９の貫通穴８９ａには、端板部１１におけるカバー側板部８６とは反対側のＺ２方向の側の部分に設けられたガイド軸３５がＸ１方向の側から挿入される。
【００５３】
さらに、図７に示すように、カバー端板部８３には、回転体配置穴９３の周りからＸ２方向に突出する筒状リブ２４が形成されている。筒状リブ２４は、回転体配置穴９３を囲むように形成されている。筒状リブ２４の先端（Ｘ１方向の端）は、可動カバー２が第２位置２Ｂに配置されたときに駆動ユニット３のフランジ部７８に当接して、駆動ユニット３と可動カバー２との間からの冷気の漏れを抑制する。
【００５４】
また、図６に示すように、カバー端板部８３の対向面８３ａには、カバー側板部８６の内側に位置する３つの貫通穴１０１〜１０３をそれぞれ囲む３つの円形凹部１０７〜１０９が設けられている。３つの貫通穴１０１〜１０３のそれぞれは、各円形凹部１０７〜１０９の円形底面の中心に開口する。また、カバー端板部８３の対向面８３ａには、３つの貫通穴１０１〜１０３と回転体配置穴９３の間に、それぞれ凸部１１１〜１１３が設けられている。
【００５５】
３つの凸部１１１〜１１３のそれぞれは、各円形凹部１０７〜１０９の外周縁と、対向面８３ａにおける各円形凹部１０７〜１０９の開口縁との双方に重なる位置に設けられている。また、３つの凸部１１１〜１１３のそれぞれは、軸線Ｌと３つの貫通穴１０１〜１０３の中心とを結んだ直線上に設けられている。各凸部１１１〜１１３は、Ｘ方向から見た場合の平面形状が長方形であり、回転体配置穴９３を等角度間隔で囲む位置に設けられている。各凸部１１１〜１１３は、その長手方向を回転体配置穴９３の周方向に向けている。各凸部１１１〜１１３の先端面は、円盤部９２よりもＸ１方向に突出しており、可動カバー２において最もＸ１方向の側に位置する。
【００５６】
また、各凸部１１１〜１１３は、支持体４の対向面１１ｃに設けられた緩衝部材３７〜３９と対向する。すなわち、支持体４の対向面１１ｃに設けられた３つの緩衝部材３７〜３９は、Ｘ方向から見た場合に３つの凸部１１１〜１１３のそれぞれと重なっている。ここで、回転体配置穴９３は、支持体４の支持部１３と同軸に配置される。また、回転体６６の軸線Ｌは回転体配置穴９３の中心をＸ方向に通過する。さらに、３つの凸部１１１〜１１３のそれぞれは、軸線Ｌと、当該軸線Ｌ回りに等角度間隔で形成された３つの貫通穴１０１〜１０３の中心とを結んだ直線上に設けられている。よって、各凸部１１１〜１１３は、Ｘ方向（直動方向）から見た場合に、支持体４の支持部１３の外周側に位置し、支持体４の支持部１３を等角度間隔で囲む位置に設けられている。
【００５７】
（配線）
図１、図２に示すように、配線５は、支持部１３に固定された駆動ユニット３のモータ本体６７の給電部７０から、切欠き１７を介して、配線配置溝１８内に引き出される。この際に、配線配置溝１８内において、配線５は、第１爪部２５と配線配置溝１８の底部１８ａとの間、および、第２爪部２６と配線配置溝１８の底部１８ａとの間を引き回され、端部開口１８ｂに至る。その後、配線５は、配線配置溝１８の側板部１２の側の端から側板部１２の側面１２ａに沿って折り曲げられて、配線係止部４５に係止される。
【００５８】
配線係止部４５において、配線５は、端板部１１（端面１１ａ）の側から第１係止部分５２と側板部１２（側面１２ａ）との間を引き回された後に、突出部分５１の端板部１１とは反対側（Ｘ２方向の側）を経由して第２係止部分５３と側板部１２（側面１２ａ）との間を引き回される。その後、配線５は配線係止部４５からＺ２方向に引き出される。
【００５９】
配線係止部４５からＺ２方向に引き出された配線５は、第２抜け止め部分５６の端板側
（Ｘ１方向）を経由した後に更に側面１２ａに沿ってＺ２方向に引き出される。そして、第２結束部４７の端板側（Ｘ１方向）の側を延び、結束バンド５９により第２結束部４７に結束される。すなわち、配線５は、溝６０に挿入されて下側突部６１と上側突部６２との間を連結部分６３に巻き回される結束バンド５９によって、第２結束部４７に固定される。
【００６０】
（流路調節動作）
配線５を介してモータ本体６７に電力が供給されて駆動ユニット３が駆動されると、回転体６６の回転は送りネジ機構９４を介して可動カバー２に伝達される。ここで、可動カバー２をＸ方向（直動方向）に案内するガイド機構３０は、可動カバー２が回転体６６と一緒に供回りをすることを防止する。従って、回転体６６が回転すると、可動カバー２は軸線Ｌに沿ってＸ１方向およびＸ２方向に移動する。
【００６１】
図３に示すように、回転体６６が軸線Ｌ周りに時計周りＣＷの方向に回転すると、可動カバー２は、軸線Ｌ方向のＸ１方向に移動する。これにより、図５（ａ）に示すように、可動カバー２は開口部Ｏから離間する第１位置２Ａに配置される。可動カバー２が第１位置２Ａに配置された状態では、開口部Ｏが解放状態とされる。従って、冷気は、図３、図５（ａ）に矢印Ｃで示すように、冷気流路とダンパ装置１との間から、冷蔵庫の庫内に供給される。ここで、可動カバー２を第１位置２Ａに配置した場合には、可動カバー２に設けた凸部１１１〜１１３と、支持体４に設けた緩衝部材３７〜３９が当接する。また、緩衝部材３７〜３９は、可動カバー２が第１位置２Ａに配置されたときに凸部１１１〜１１３が当接して弾性変形した状態となる。従って、可動カバー２を第１位置２Ａに配置したときに衝突音が発生することがない。
【００６２】
次に、回転体６６が軸線Ｌ周りに反時計周りＣＣＷの方向に回転すると、可動カバー２は、図４に示すように、軸線Ｌ方向のＸ２方向に移動する。これにより、図５（ｂ）に示すように、可動カバー２は開口部Ｏに接近した第２位置２Ｂに配置される。可動カバー２が第２位置２Ｂに配置された状態では、可動カバー２のカバー端板部８３は、筒状リブ２４を介して駆動ユニット３の回転体６６に形成されたフランジ部７８にＸ１方向の側から接近する。これにより、駆動ユニット３と可動カバー２との間から冷気が漏れることが抑制される。また、可動カバー２が第２位置２Ｂに配置された状態では、可動カバー２が冷気流路の開口部Ｏの開口縁を部分的に被う。さらに、可動カバー２が第２位置２Ｂに配置された状態では、ファン支持用軸３１〜３３の先端部分に遠心ファンＦが固定されている場合には、可動カバー２のカバー側板部８６は、遠心ファンＦを外周側から被う。従って、冷気流路の開口部Ｏから供給される冷気は、図４、図５（ｂ）において矢印Ｄに示すように、可動カバー２の切欠き開口８７を介して、冷蔵庫の庫内へ供給される。よって、可動カバー２が第２位置２Ｂに配置された状態では、可動カバー２が第１位置２Ａにある場合と比較して、少ない流量の冷気が冷蔵庫内に供給される。なお、ダンパ装置１は、可動カバー２を第１位置２Ａと第２位置２Ｂとの間の中間位置に配置して、開口部Ｏを経由する冷気の流量を調節する場合もある。
【００６３】
ここで、本例では、図１、図２に示すように、支持体４において駆動ユニット３を支持する支持部１３の外周側には、貫通穴４０〜４２が設けられている。従って、ダンパ装置１を動作させる際に、駆動ユニット３の駆動源であるモータ本体６７の振動が支持部１３を介して支持体４に伝わった場合でも、その振動の伝搬を、貫通穴４０〜４２によって遮断、或いは、抑制できる。すなわち、駆動ユニット３の駆動源であるモータ本体６７の振動が支持部１３を介して支持体４に伝わった場合でも、その振動は、各貫通穴４０〜４２と配線配置溝１８との間の細い第１接続リブ１１ｅ、第２接続リブ１１ｆ、第３接続リブ１１ｇ、および、第４接続リブ１１ｈを介して伝搬するので、減衰する。特に、本例では、モータ本体６７がステッピングモータであり、駆動時に周期的な振動が発生するので、
この振動が支持体４の側に伝わりやすい。しかし、支持体４に設けられた貫通穴４０〜４２によって当該振動の伝搬を遮断あるいは抑制できる。従って、モータ本体６７の振動が支持体４で増幅されてしまい、振動音が大きくなることを防止或いは抑制できる。
【００６４】
また、３つの貫通穴４０〜４２は、駆動ユニット３の支持部１３と３本のファン支持用軸３１〜３３との間の領域に設けられているので、ファン支持用軸３１〜３３の先端部分に遠心ファンＦが固定された場合には、モータ本体６７の振動と、遠心ファンＦからファン支持用軸３１〜３３を介して支持体４に伝達される振動とが重畳してしまい、振動音が大きくなることを防止或いは抑制できる。
【００６５】
さらに、本例では、ダンパ装置１（支持体４）を外部の機器に固定するための取付部１４が、３つの貫通穴４０〜４２および３本のファン支持用軸３１〜３３の外周側に位置しているので、駆動ユニット３の駆動源であるモータ本体６７の振動が支持部１３を介して支持体４に伝わった場合でも、その振動が、ファン支持用軸３１〜３３よりも外周側に位置する取付部１４まで伝搬することを抑制できる。
【００６６】
また、３つの貫通穴４０〜４２は、３本のファン支持用軸３１〜３３よりも支持部１３に近い位置に設けられているので、支持部１３に近い位置でモータ本体６７の振動の伝搬を遮断あるいは抑制できる。さらに、各貫通穴４０〜４２は、支持部１３の外周に沿って周方向に延びる円弧形状なので、小さな開口面積でも効率良く振動の伝搬を抑制することが出来る。すなわち、各貫通穴４０〜４２を周方向に延びる円弧形状とすれば、小さな開口面積でも、支持部１３と、各貫通穴４０〜４２よりも外周側に位置する端板部１１の板部分とを接続する接続リブ１１ｅ〜１１ｈを細く（小さく）することができる。ここで、接続リブ１１ｅ〜１１ｈが細ければ、支持部１３から伝搬する振動を接続リブ１１ｅ〜１１ｈで減衰させやすい。従って、貫通穴４０〜４２により、モータ本体６７の振動の伝搬を抑制しやすい。
【００６７】
また、本例では、３つの貫通穴４０〜４２を備えるので、貫通穴４０〜４２が一つの場合と比較して、各貫通穴４０〜４２の開口面積を合計した開口面積が大きくすることができる。これにより、端板部１１において支持部１３からの振動を外周側に伝搬する部分（接続リブ１１ｅ〜１１ｈ）の面積を小さくすることができる。よって、モータ本体６７の振動の伝搬を抑制しやすい。
【００６８】
さらに、本例では、駆動ユニット３がモータ本体６７の回転を回転体６６に伝達するギア輪列６９を備えるので、ギア輪列６９が駆動される際に振動が発生して支持体４の側に伝わることがあるが、支持体４に設けられた貫通穴４０〜４２によって、この振動の伝搬を遮断あるいは抑制できる。
【００６９】
（変形例）
ここで、貫通穴４０〜４２の開口形状は、円弧形状に限られるものではない。図１０は貫通穴４０〜４２の形状を変更した変形例のダンパ装置をＸ１方向の側から見た場合の平面図である。図１０に示すように、本例のダンパ装置１５０では、支持体４の端板部１１において支持部１３の外周側で支持部１３に隣り合う領域には、貫通穴として、複数の円形穴１５１が設けられている。このようにしても、端板部１１において支持部１３からの振動を外周側に伝搬する部分の面積を小さくすることができる。従って、上記の例と同様の作用効果を得ることができる。
【００７０】
なお、支持体４の端板部１１に設ける貫通穴の数は、一つでもよく、貫通穴を設ければ、駆動ユニット３から支持部１３を介して端板部１１に伝わる振動の伝搬を抑制することができる。
【００７１】
ここで、ガイド機構３０として、可動カバー２の側にガイド軸３４、３５を設け、支持体４の側にガイド穴１０４、１０５を形成することもできる。
【００７２】
また、駆動ユニット３の回転体６６の円筒部７６の外周面に、係合部８０として螺旋状の凹部を設け、可動カバー２の回転体配置穴９３の内周面に、係合部８０と係合して当該係合部８０と送りネジ機構９４を構成する凸部を設けてもよい。
【００７３】
さらに、上記の例では、可動カバー２のカバー側板部８６に切欠き開口８７が設けられているが、このような切欠き開口８７を設けずに、カバー側板部８６がカバー端板部８３の外周縁の全周からＸ２方向に延びていてもよい。この場合には、可動カバー２が第２位置２Ｂに配置されたときに、可動カバー２によって開口部Ｏを被うものとすることができる。従って、可動カバー２が第２位置２Ｂに配置されたときに開口部Ｏを通過する冷気の流量（第１流量）をゼロとすることができる。
【００７４】
なお、上記の例では、冷気（流体）が流れる流体通路に取り付けられるダンパ装置１に本例を適用したが、冷気以外の各種流体（液体あるいは気体）が流れる流体通路に設けられるダンパ装置１に本例を適用してもよい。
【符号の説明】
【００７５】
１・１５０…ダンパ装置、１Ａ…ダンパ装置の設置姿勢、２…可動カバー、２Ａ…可動カバーの第１位置、２Ｂ…可動カバーの第２位置、３…駆動ユニット、４…支持体、５…配線、１１…端板部、１１ａ…端板部の端面、１１ｂ…端板部の貫通穴、１１ｃ…端板部の対向面、１１ｅ…第１接続リブ、１１ｆ…第２接続リブ、１１ｇ…第３接続リブ、１１ｈ…第４接続リブ、１２…側板部、１２ａ…側面、１３…支持部、１４…取付部、１５…第１筒部、１５ａ…中心穴、１６…第２筒部、１６ａ…中心穴、１８…配線配置溝、１８ａ…底部、１８ｂ…端部開口、１９…内周側溝部分、２０…傾斜溝部分、２１…外周側溝部分、２２…開口部、２３…筒部、２４…筒状リブ、２５…第１爪部、２６…第２爪部、３０…ガイド機構、３１〜３３…ファン支持用軸、３４・３５…ガイド軸、３７〜３９…緩衝部材、４０…第１貫通穴、４１…第２貫通穴、４２…第３貫通穴、４５…配線係止部、４６…第１結束部、４７…第２結束部、５１…突出部分、５２…第１係止部分、５３…第２係止部分、５４…第１抜け止め部分、５５…第１傾斜部、５６…第２抜け止め部分、５７…第２傾斜部、５９…結束バンド、６０…溝、６１…下側突部、６２…上側突部、６３…連結部分、６５…ギアードモータ、６６…回転体、６７…モータ本体（モータ）、６８…出力歯車、６９…ギア輪列、７０…給電部、７１…端板部材、７２…ケース、７２ａ…開口部、７４…ネジ、７５…底板部、７６…円筒部、７７ｂ…スプライン、７７…噛合部、７８…フランジ部、７８ａ…水抜き用の穴、８０…係合部、８０ａ…端部、８３…カバー端板部（対向部）、８３ａ…対向面、８４…円形端板部分、８５…突出端板部分、８５ａ…下端縁、８６…カバー側板部（側板部）、８７…切欠き開口、８８…第１突出部、８９…第２突出部、９１…回転体配置部、９２…円盤部、９３…回転体配置穴、９４…ネジ機構、９５…被係合部、９６…張出部、９７…開口部、１０１〜１０３…可動カバーの貫通穴、１０４・１０５…ガイド穴、１０７…円形凹部、１１１〜１１３…凸部、１５１…円形穴、Ｆ…遠心ファン、Ｌ…軸線、Ｏ…開口部
【図１】
2019082284.tif 000003
【図２】
2019082284.tif 000004
【図３】
2019082284.tif 000005
【図４】
2019082284.tif 000006
【図５】
2019082284.tif 000007
【図６】
2019082284.tif 000008
【図７】
2019082284.tif 000009
【図８】
2019082284.tif 000010
【図９】
2019082284.tif 000011
【図１０】
2019082284.tif 000012